(57)【要約】      （修正有）【課題】最後まで使い切れて、ごみにならない究極のエコ筆記グッズとして、誰にでも容易に連結使用できる鉛筆を提供する。【解決手段】１本の鉛筆１の一端と他端を雄ねじ状２と雌ねじ状３に加工することにより、使用中の鉛筆と未使用の鉛筆を連結することが可能になり、ほぼ、無駄ゼロ、ごみゼロとして、鉛筆を使い切ることができる。【選択図】図１
0003182746.tif 000002
【実用新案登録請求の範囲】
【請求項１】
一端を雄ねじ状に、他端を雌ねじ状に加工して２本の鉛筆を連結できるようにしたことを特徴とする鉛筆
【考案の詳細な説明】
【技術分野】
【０００１】
本考案は、たとえ、短くなってしまった鉛筆といえども、捨ててしまうのにはやや抵抗があり、もったいないと思いつつも机の整理をするためには捨てざるを得なかった今までの鉛筆事情を180度変えるエコな鉛筆を目指すものである。
【背景技術】
【０００２】
鉛筆には、特開２００２−５９６８５号公報、特開２０１０−１７９５４０号公報に開示さ
れた技術がある。しかし、これらは、少しの力で使用中に外れてしまったり、実際に使おうとすると別のパーツが必要だったり、接着剤を塗布する手間がかかったりと意外に面倒で、必ずしも使い勝手が良くなかった。
【先行技術文献】
【特許文献】
【０００３】
【特許文献１】特開２００２−５９６８５号公報
【特許文献２】特開２０１０−１７９５４０号公報また、従来の鉛筆は、極限まで使用しても、最後に必ず鉛筆削り器では削れなくなってしまうほど短くなった鉛筆が残ってしまう。シャープペンシルの芯の場合、鉛筆に比べるとかなり短くなるまで使えるが、やはり短くなった芯は、最後は捨ててしまうのが通常である。手間がかからずに最後まで使い切れる鉛筆は、残念ながらまだ市場に出回っていないのが現状である。
【考案の概要】
【考案が解決しようとする課題】
【０００４】
本考案は、考案者の身近にいた年配のとある人物が、短くなった鉛筆をいざ捨てようというとき、「置いといてもしょうがないしね、こんなにいっぱいたまっちゃって、もう捨てなきゃ。」と、ちょっと申し訳なさそうに言っていたのを見聞きしたことに端を発している。年配者は物を大切にされる方が多く、考案者自身も漠然と抱いていた感情が、身近な人物の言葉や表情に垣間見えたとき、エコが叫ばれて久しい昨今、最後まで使い切れる鉛筆があればいいのに、と単純に思い、その思いが徐々に募り、この発案につながったといえる。
【０００５】
どこまで使うかは各個人で異なるとしても、短くなった鉛筆は最後には捨てるのが普通である。自分の場合、捨てる際の罪悪感から逃れたい気持からか、なんとなくシャープペンシルを使っていたような気がする。しかし、鉛筆特有のぬくもりも好きであったため、鉛筆かシャープペンシルかの二者択一ではなく、いっそのこと、好きな鉛筆を最後まで使い切ることにこだわった結果、考案されたものである。
【課題を解決するための手段】
【０００６】
一端を雄ねじ状に、他端を雌ねじ状に加工して２本の鉛筆を連結できるようにした鉛筆である。鉛筆の一端を雄ねじ状にらせんの溝を刻む形状に加工し、一方、同鉛筆の他端は、連結したい新しい鉛筆の雄ねじ部分を受け入れて収納することができるように雌ねじの形状に加工しておく。すべての鉛筆をこのような形状に加工しておくことで、使用中の鉛筆が短くなる都度、その短くなった鉛筆に次の新しい鉛筆の一端をクルクル回して連結していくのである。一本の鉛筆の一端と他端を予めこのように加工しておくことで、簡単かつ半永久的に連結が可能になり、たとえ短くなっても最後まで使える無駄のないエコな鉛筆を提供することができる。
【０００７】
既存の鉛筆にねじ状の加工を加えただけであるため、基本的に連結前後で鉛筆の太さは変わらない。延長用の補助具を使用する場合、補助具に収納されている手前部分までしか鉛筆削り器に入らなかったが、本考案の場合、単純に鉛筆同志を連結するだけであるから連結前後で鉛筆自体の太さは変わらないため、既存の鉛筆削り器で連結部分もそのまま削ることが可能である。
【考案の効果】
【０００８】
鉛筆の持つぬくもりの好きな人は多いと思うが、その鉛筆を最後まで捨てることなく使い切ることができ、捨てる際の良心の呵責に苛まれずに済むというしろものである。合わせて、ごみの減量や森林保護にもつながり、地球にやさしい環境という面からも貢献できると考えられる。
【図面の簡単な説明】
【０００９】
【図１】鉛筆の一端に雄ねじ状、他端に雌ねじ状の加工を施した鉛筆を示した全体図である。
【図２】連結した状態を示した全体図である。
【図３】雄ねじ部分の図である。
【図４】雌ねじ部分の図である。
【考案を実施するための形態】
【００１０】
以下に本考案の具体的な実施の形態を添付図面に基づき説明する。
【実施例１】
【００１１】
図１に示すように本考案の鉛筆の一端は、らせん状に溝を刻み、雄ねじ状（２）に加工する。また、他端は雌ねじ状（３）に加工する。その際、鉛筆削りで削られることを考えると、切削部の回転で鉛筆のねじ部分が外れてしまわないように、鉛筆削りの切削部の回転とは逆回転になるように、ねじの溝を加工すべきである。こうすることで削られるたびにねじ部分が緩むことなく、どちらかというと更にきつく締まるはずである。また、ねじ部自体の太さを均一にし、かつ、少し長めにしておくことで、ねじ部の先端部分（５）が削れていっても、末端部分（６）は削れずに引っかかったままの状態であるため、最後まで緩まず、外れずに済む。
【００１２】
また、鉛筆は一般的に六角柱の形状が多いが、連結時に鉛筆同志の角がずれていると、握り心地があまり良くないと思われるため、円柱形のほうが技術的には無難であろう。技術が向上すれば、一般的な六角柱形の鉛筆にすればよい。  
【００１３】
しかし、たかが鉛筆と侮らず、精密機器のねじのようにかなり精巧に溝が刻まれたものが良い。使用者が使い勝手が良いと感じるためには、どうしても、質の良い製品である必要がある。日本の企業は、物作りの技術に長けているため、その気になれば、柔らかい木材であっても、かなりの高水準で精巧に加工できると思う。雄ねじ部分（２）と雌ねじ部分（３）が気持ちよくピッタリと連結されるよう、製造する企業には丁寧に加工を加えてもらうことを願っている。
【産業上の利用可能性】
【００１４】
本考案にかかる鉛筆は、今までの鉛筆の一端と他端をねじ状に精巧に加工する技術は必要だが、逆に言うと、それがクリアできれば、何ら原材料を変更することもなく、今まで捨てられることがわかりつつも充填していた片側部分の芯を省略することが可能となる。
【００１５】
だがここで、ひとつ、新たな問題が生じてくる。それは、長さの問題であるが、各メーカーにより多少のバラツキはあるものの、一般的には新品の状態で17,5ｃｍ前後である鉛筆は、おそらくこの長さがベストなのだと思われる。たとえ短くなった鉛筆といえども、新品の鉛筆にただ単に連結するだけでは長くなりすぎて使いづらい。自分の場合は、鉛筆の全長が約9ｃｍ、持ち手部分が6ｃｍ前後になると、短くて握りづらいと感じるため、この状態で新品の鉛筆と連結してしまうと、連結部分を2,5ｃｍと仮定して、17,5ｃｍ＋9ｃｍ―2,5ｃｍ＝24ｃｍとなってしまい、さすがにこれでは書きづらい。
【００１６】
そこで、鉛筆１本の長さを既存のものより若干短くすることで、この問題点を解決し、企業側にとっても利益をもたらすことができると考える。
【００１７】
更に、必要ならば、鉛筆を連結した場合に必要になる、従来のものより少し長めのペンケースや、この鉛筆向きの鉛筆削り器の需要も見込まれ、その産業価値は大きい。
【符号の説明】
【００１８】
１・・・・・鉛筆本体
２・・・・・雄ねじ状に加工した一端
３・・・・・雌ねじ状に加工した他端
４・・・・・芯
５・・・・・雄ねじの先端部分
６・・・・・雄ねじの末端部分
【図１】
0003182746.tif 000003
【図２】
0003182746.tif 000004
【図３】
0003182746.tif 000005
【図４】
0003182746.tif 000006